【手続補正書】
【提出日】平成16年6月15日(2004.6.15)
【手続補正１】
【補正対象書類名】明細書
【補正対象項目名】特許請求の範囲
【補正方法】変更
【補正の内容】
【特許請求の範囲】
【請求項１】
感光体ドラムと、前記感光体ドラムに作用するプロセス手段の少なくとも一つを有し、画像形成装置に使用可能なプロセスカートリッジに装着されるメモリー媒体において、
前記感光体ドラムの使用量演算式係数を格納するための第１の記憶部と、
前記第１の記憶部に格納された情報に基づき得られた前記感光体ドラムの使用量に応答してプロセス条件を変更するためのドラム使用量閾値を格納するための第２の記憶部と、
を有することを特徴とするメモリー媒体。
【請求項２】
更に、前記プロセスカートリッジの固体識別情報を格納するための第３の記憶部を有することを特徴とする請求項１のメモリー媒体。
【請求項３】
前記ドラム使用量閾値は複数設定され、前記第２の記憶部は、これら複数の閾値を格納する追加の記憶部を有していることを特徴とする請求項１又は２のメモリー媒体。
【請求項４】
更に、ドラム感度情報を格納するための第４の記憶部を有することを特徴とする請求項１、２又は３のメモリー媒体。
【請求項５】
前記プロセス手段は前記感光体ドラムを帯電するための帯電手段を含み、前記帯電手段は、前記感光体ドラムに接触していることを特徴とする請求項１〜４のいずれかの項に記載のメモリー媒体。
【請求項６】
前記プロセス手段は前記感光体ドラムを帯電するための帯電手段を含み、前記帯電手段は、ＤＣ電圧が重畳されたＡＣ電圧が供給されることを特徴とする請求項１〜４のいずれかの項に記載のメモリー媒体。
【請求項７】
前記メモリー媒体は、前記画像形成装置の装置本体との通信を非接触にて行うことを特徴とする請求項１〜６のいずれかの項に記載のメモリー媒体。
【請求項８】
感光体ドラムと前記感光体ドラムに作用するプロセス手段の少なくとも一つを一体的にユニット化して画像形成装置本体から着脱可能としたプロセスカートリッジであり、前記プロセスカートリッジに関する情報を記憶するメモリを備えたプロセスカートリッジにおいて、
前記画像形成装置本体は、前記プロセスカートリッジのメモリの記憶内容を読み書きする手段と、前記メモリの記憶情報に基づいて画像形成プロセス条件を変更する制御手段と、を有し、
前記メモリは、前記感光体ドラムの使用量演算式係数を格納するための第１の記憶部と、前記第１の記憶部に格納された情報に基づき得られた前記感光体ドラムの使用量に応答してプロセス条件を変更するためのドラム使用量閾値を格納するための第２の記憶部と、を有することを特徴とするプロセスカートリッジ。
【請求項９】
更に、前記プロセスカートリッジの固体識別情報を格納するための第３の記憶部を有することを特徴とする請求項８のプロセスカートリッジ。
【請求項１０】
前記ドラム使用量閾値は複数設定され、前記第２の記憶部は、これら複数の閾値を格納する追加の記憶部を有していることを特徴とする請求項８又は９のプロセスカートリッジ。
【請求項１１】
更に、ドラム感度情報を格納するための第４の記憶部を有することを特徴とする請求項８、９又は１０のプロセスカートリッジ。
【請求項１２】
前記プロセス手段は前記感光体ドラムを帯電するための帯電手段を含み、前記帯電手段は、前記感光体ドラムに接触していることを特徴とする請求項８〜１１のいずれかの項に記載のプロセスカートリッジ。
【請求項１３】
前記プロセス手段は前記感光体ドラムを帯電するための帯電手段を含み、前記帯電手段は、ＤＣ電圧が重畳されたＡＣ電圧が供給されることを特徴とする請求項８〜１１のいずれかの項に記載のプロセスカートリッジ。
【請求項１４】
前記メモリーは、前記画像形成装置の装置本体との通信を非接触にて行うことを特徴とする請求項８〜１３のいずれかの項に記載のプロセスカートリッジ。
【請求項１５】
プロセスカートリッジを着脱可能であって、記録媒体に画像を形成する電子写真画像形成装置において、
（ａ）（ｉ）感光体ドラムと、前記感光体ドラムに作用するプロセス手段の少なくとも一つを一体的にユニット化したプロセスカートリッジであり、
(ii)前記感光体ドラムの使用量演算式係数を格納するための第１の記憶部と、前記第１の記憶部に格納された情報に基づき得られた前記感光体ドラムの使用量に応答してプロセス条件を変更するためのドラム使用量閾値を格納するための第２の記憶部と、を有するメモリ、
を有するプロセスカートリッジを取り外し可能に装着するための装着手段と、
（ｂ）前記プロセスカートリッジが前記装着手段に装着された状態で、前記プロセスカートリッジのメモリと通信する通信手段と、
（ｃ）前記プロセスカートリッジが画像形成装置本体内で使用された量と前記通信手段を介して受けた情報に基づいて、画像形成プロセス条件を変更する制御手段と、
を有することを特徴とする電子写真画像形成装置。
【請求項１６】
更に、前記プロセスカートリッジの固体識別情報を格納するための第３の記憶部を有することを特徴とする請求項１５の電子写真画像形成装置。
【請求項１７】
前記ドラム使用量閾値は複数設定され、前記第２の記憶部は、これら複数の閾値を格納する追加の記憶部を有していることを特徴とする請求項１５又は１６の電子写真画像形成装置。
【請求項１８】
更に、ドラム感度情報を格納するための第４の記憶部を有することを特徴とする請求項１５、１６又は１７の電子写真画像形成装置。
【請求項１９】
前記プロセス手段は前記感光体ドラムを帯電するための帯電手段を含み、前記帯電手段は、前記感光体ドラムに接触していることを特徴とする請求項１５〜１８のいずれかの項に記載の電子写真画像形成装置。
【請求項２０】
前記プロセス手段は前記感光体ドラムを帯電するための帯電手段を含み、前記帯電手段は、ＤＣ電圧が重畳されたＡＣ電圧が供給されることを特徴とする請求項１５〜１８のいずれかの項に記載の電子写真画像形成装置。
【請求項２１】
前記メモリー媒体は、前記画像形成装置の装置本体との通信を非接触にて行うことを特徴とする請求項１５〜２０のいずれかの項に記載の電子写真画像形成装置。
【請求項２２】
画像形成装置本体とプロセスカートリッジを有する画像形成装置を制御するための画像形成装置制御システムにおいて、
前記プロセスカートリッジは、感光体ドラムと、前記感光体ドラムに作用するプロセス手段の少なくとも一つを有し、
前記画像形成装置制御システムは、前記プロセスカートリッジに設けられるメモリー媒体であって、前記感光体ドラムのドラム使用量演算式係数を格納するための第１の記憶部と、前記第１の記憶部に格納された情報に基づき得られた前記感光体ドラムの使用量に応答してプロセス条件を変更するためのドラム使用量閾値を格納するための第２の記憶部と、を有するメモリー媒体と、
前記感光体ドラムの積算された回転時間と、前記感光体ドラムを帯電する帯電手段に印加する帯電バイアス電圧の積算された時間と、前記使用量演算式係数とに基づいて、前記感光体ドラムの使用量を計算するための、前記画像形成装置に設けられた演算手段と、
前記演算手段の演算結果が前記ドラム使用量閾値に達したことに応答して前記プロセス条件を切り替える切替手段と、
を有することを特徴とする画像形成装置制御システム。
【請求項２３】
更に、前記プロセスカートリッジの固体識別情報を格納するための第３の記憶部を有し、前記プロセスカートリッジの固体識別情報が変更されない限り、前記感光体ドラム使用量の積算を続け、前記プロセスカートリッジの固体識別情報が変更されたとき、前記感光体ドラム使用量をリセットすることを特徴とする請求項２２の画像形成装置制御システム。
【請求項２４】
前記メモリー媒体は、前記プロセス条件を変更するための第２のドラム使用量閾値を有し、前記切替手段は、前記演算手段の演算結果が前記第２のドラム使用量閾値に達したことに応答して前記プロセス条件を変更することを特徴とする請求項２２又は２３の画像形成装置制御システム。
【請求項２５】
前記メモリー媒体は、更に、ドラム感度情報を格納するための第４の記憶部を有し、前記ドラム感度情報に応じて前記プロセス条件を変更することを特徴とする請求項２２、２３又は２４の画像形成装置制御システム。
【請求項２６】
前記帯電手段は、前記感光体ドラムに接触していることを特徴とする請求項２２〜２５のいずれかの項に記載の画像形成装置制御システム。
【請求項２７】
前記帯電手段は、ＤＣ電圧が重畳されたＡＣ電圧が供給されることを特徴とする請求項２２〜２６のいずれかの項に記載の画像形成装置制御システム。
【請求項２８】
前記メモリー媒体は、前記画像形成装置の装置本体との通信を電磁波により非接触にて行うことを特徴とする請求項２２〜２７のいずれかの項に記載の画像形成装置制御システム。
【手続補正２】
【補正対象書類名】明細書
【補正対象項目名】００１０
【補正方法】変更
【補正の内容】
【００１０】
第１の本発明によると、感光体ドラムと、前記感光体ドラムに作用するプロセス手段の少なくとも一つを有し、画像形成装置に使用可能なプロセスカートリッジに装着されるメモリー媒体において、
前記感光体ドラムの使用量演算式係数を格納するための第１の記憶部と、
前記第１の記憶部に格納された情報に基づき得られた前記感光体ドラムの使用量に応答してプロセス条件を変更するためのドラム使用量閾値を格納するための第２の記憶部と、
を有することを特徴とするメモリー媒体が提供される。本発明によると、メモリ内に個々のカートリッジごとの特性に応じてプロセス条件変更のタイミングを設定できるため、個々のカートリッジのバラツキを無くして、安定した画像を供給することができる。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
第２の発明によると、感光体ドラムと前記感光体ドラムに作用するプロセス手段の少なくとも一つを一体的にユニット化して画像形成装置本体から着脱可能としたプロセスカートリッジであり、前記プロセスカートリッジに関する情報を記憶するメモリを備えたプロセスカートリッジにおいて、
前記画像形成装置本体は、前記プロセスカートリッジのメモリの記憶内容を読み書きする手段と、前記メモリの記憶情報に基づいて画像形成プロセス条件を変更する制御手段と、を有し、
前記メモリは、前記感光体ドラムの使用量演算式係数を格納するための第１の記憶部と、前記第１の記憶部に格納された情報に基づき得られた前記感光体ドラムの使用量に応答してプロセス条件を変更するためのドラム使用量閾値を格納するための第２の記憶部と、を有することを特徴とするプロセスカートリッジが提供される。本発明によると、メモリ内に個々のカートリッジごとの特性に応じてプロセス条件変更のタイミングを設定できるため、個々のカートリッジのバラツキを無くして、安定した画像を供給することができる。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
第３の本発明によると、プロセスカートリッジを着脱可能であって、記録媒体に画像を形成する電子写真画像形成装置において、
（ａ）（ｉ）感光体ドラムと、前記感光体ドラムに作用するプロセス手段の少なくとも一つを一体的にユニット化したプロセスカートリッジであり、
(ii)前記感光体ドラムの使用量演算式係数を格納するための第１の記憶部と、前記第１の記憶部に格納された情報に基づき得られた前記感光体ドラムの使用量に応答してプロセス条件を変更するためのドラム使用量閾値を格納するための第２の記憶部と、を有するメモリ、
を有するプロセスカートリッジを取り外し可能に装着するための装着手段と、
（ｂ）前記プロセスカートリッジが前記装着手段に装着された状態で、前記プロセスカートリッジのメモリと通信する通信手段と、
（ｃ）前記プロセスカートリッジが画像形成装置本体内で使用された量と前記通信手段を介して受けた情報に基づいて、画像形成プロセス条件を変更する制御手段と、
を有することを特徴とする電子写真画像形成装置が提供される。本発明によると、メモリ内に記憶されたカートリッジごとの特性に応じてプロセス条件変更のタイミングを設定できるため、個々のカートリッジのバラツキを無くして、安定した画像を供給することができる。
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】変更
【補正の内容】
【００１６】
第４の本発明によると、画像形成装置本体とプロセスカートリッジを有する画像形成装置を制御するための画像形成装置制御システムにおいて、
前記プロセスカートリッジは、感光体ドラムと、前記感光体ドラムに作用するプロセス手段の少なくとも一つを有し、
前記画像形成装置制御システムは、前記プロセスカートリッジに設けられるメモリー媒体であって、前記感光体ドラムのドラム使用量演算式係数を格納するための第１の記憶部と、前記第１の記憶部に格納された情報に基づき得られた前記感光体ドラムの使用量に応答してプロセス条件を変更するためのドラム使用量閾値を格納するための第２の記憶部と、を有するメモリー媒体と、
前記感光体ドラムの積算された回転時間と、前記感光体ドラムを帯電する帯電手段に印加する帯電バイアス電圧の積算された時間と、前記使用量演算式係数とに基づいて、前記感光体ドラムの使用量を計算するための、前記画像形成装置に設けられた演算手段と、
前記演算手段の演算結果が前記ドラム使用量閾値に達したことに応答して前記プロセス条件を切り替える切替手段と、
を有することを特徴とする画像形成装置制御システムが提供される。本発明によると、メモリ内に記憶されたカートリッジごとの特性に応じてプロセス条件変更のタイミングを設定できるため、個々のカートリッジのバラツキを無くして、安定した画像を供給することができる。
【手続補正９】
【補正対象書類名】明細書
【補正対象項目名】００１７
【補正方法】削除
【補正の内容】